(57)【要約】【課題】簡単かつ安価な構成で、効率的に印刷処理を行うことができるインクジェット記録装置を提供する。【解決手段】インクジェット記録装置１１は、送り方向Ｆに送られる被印刷物に対してＵＶインクを吐出するインクジェットヘッド２３と、被印刷物に付着したＵＶインクを硬化させるためのＵＶ照射装置２４と、を具備する。ＵＶ照射装置２４は、ＵＶインクの吐出に先立って、被印刷物の表面を改質して、ＵＶインクに対する被印刷物の濡れ性を向上させる表面改質部を兼ねている。【選択図】図３
2009196123.tif 000002
【特許請求の範囲】
【請求項１】
送り方向に送られる被印刷物に対してＵＶインクを吐出するインクジェットヘッドと、
前記被印刷物に付着した前記ＵＶインクを硬化させるためのＵＶ照射装置と、
を具備し、
前記ＵＶ照射装置は、前記ＵＶインクの吐出に先立って、前記被印刷物の表面を改質して、前記ＵＶインクに対する前記被印刷物の濡れ性を向上させる表面改質部を兼ねていることを特徴とするインクジェット記録装置。
【請求項２】
前記ＵＶ照射装置は、
前記被印刷物の表面を改質することができる第１の波長帯域と、
前記ＵＶインクを硬化させることができる第２の波長帯域と、
を含んだ光を照射可能な光源を有することを特徴とする請求項１に記載のインクジェット記録装置。
【請求項３】
前記ＵＶ照射装置は、第１のユニットおよび第２のユニットを含んだ一対のものであり、
前記インクジェットヘッドは、前記第１のユニットと前記第２のユニットとの間の位置に配置されることを特徴とする請求項２に記載のインクジェット記録装置。
【請求項４】
前記インクジェットヘッドおよび前記ＵＶ照射装置を載せ込むとともに、前記送り方向と直交する幅方向において往復移動可能なキャリッジを具備し、
前記インクジェットヘッド、前記ＵＶ照射装置の前記第１のユニットおよび前記第２のユニットは、前記幅方向に沿うように前記キャリッジ上に並んで配置されることを特徴とする請求項３に記載のインクジェット記録装置。
【請求項５】
前記ＵＶ照射装置の前記第１のユニットおよび前記第２のユニットは、前記送り方向において前記インクジェットヘッドに対応する対応部と、前記送り方向において前記インクジェットヘッドから外れている突出部と、をそれぞれ有し、
前記突出部は、前記インクジェットヘッドよりも前記送り方向の上流に配置されることを特徴とする請求項４に記載のインクジェット記録装置。
【請求項６】
前記突出部に対応して設けられ、前記ＵＶ照射装置の前記第１のユニットおよび前記第２のユニットから照射される光のうち、前記第１の波長帯域の光を透過させるとともに、前記第２の波長帯域の光を遮断する第１のフィルタ部と、
前記対応部に対応して設けられ、前記ＵＶ照射装置の前記第１のユニットおよび前記第２のユニットから照射される光のうち、前記第２の波長帯域の光を透過させるとともに、前記第１の波長帯域の光を遮断する第２のフィルタ部と、
を有するフィルタ部材をさらに具備することを特徴とする請求項５に記載のインクジェット記録装置。
【請求項７】
前記ＵＶ照射装置の前記第１のユニットおよび前記第２のユニットは、前記送り方向において前記インクジェットヘッドに対応する対応部と、前記送り方向において前記インクジェットヘッドから外れている突出部と、を有し、
前記突出部は、前記インクジェットヘッドよりも前記送り方向の下流に配置されることを特徴とする請求項４に記載のインクジェット記録装置。
【請求項８】
前記対応部に対応して設けられ、前記ＵＶ照射装置の前記第１のユニットおよび前記第２のユニットから照射される光のうち、前記第１の波長帯域の光を透過させるとともに、前記第２の波長帯域の光を遮断する第１のフィルタ部と、
前記突出部に対応して設けられ、前記ＵＶ照射装置の前記第１のユニットおよび前記第２のユニットから照射される光のうち、前記第２の波長帯域の光を透過させるとともに、前記第１の波長帯域の光を遮断する第２のフィルタ部と、
を有するフィルタ部材をさらに具備することを特徴とする請求項７に記載のインクジェット記録装置。
【請求項９】
前記ＵＶ照射装置の前記第１のユニットおよび前記第２のユニットは、前記送り方向において前記インクジェットヘッドに対応する対応部と、前記送り方向において前記インクジェットヘッドから外れている第１の突出部および第２の突出部と、を有し、
前記第１の突出部は、前記インクジェットヘッドよりも前記送り方向の上流に配置されるとともに、
前記第２の突出部は、前記インクジェットヘッドよりも前記送り方向の下流に配置されることを特徴とする請求項４に記載のインクジェット記録装置。
【請求項１０】
前記第１の突出部および前記対応部の一部に対応して設けられ、前記ＵＶ照射装置の前記第１のユニットおよび前記第２のユニットから照射される光のうち、前記第１の波長帯域の光を透過させるとともに、前記第２の波長帯域の光を遮断する第１のフィルタ部と、
前記第２の突出部および前記対応部の一部に対応して設けられ、前記ＵＶ照射装置の前記第１のユニットおよび前記第２のユニットから照射される光のうち、前記第２の波長帯域の光を透過させるとともに、前記第１の波長帯域の光を遮断する第２のフィルタ部と、
を有するフィルタ部材をさらに具備することを特徴とする請求項９に記載のインクジェット記録装置。
【請求項１１】
前記ＵＶ照射装置の前記第１のユニットに対応して設けられるとともに、前記第１のユニットから照射される光のうち、前記第２の波長帯域を遮断する第１のフィルタ部と、前記第１の波長帯域を遮断する第２のフィルタ部と、を有する第１のフィルタ部材と、
前記ＵＶ照射装置の前記第２のユニットに対応して設けられるとともに、前記第２のユニットから照射される光のうち、前記第２の波長帯域を遮断する第３のフィルタ部と、前記第１の波長帯域を遮断する第４のフィルタ部と、を有する第２のフィルタ部材と、
をさらに具備し、
前記キャリッジが前記第１のユニットを先頭に移動する際に、前記第１のフィルタ部材は、前記第１のフィルタ部を前記第１のユニットに対向させるとともに、前記第２のフィルタ部材は、前記第４のフィルタ部を前記第２のユニットに対向させ、
前記キャリッジが前記第２のユニットを先頭に移動する際に、前記第１のフィルタ部材は、前記第２のフィルタ部を前記第１のユニットに対向させるとともに、前記第２のフィルタ部材は、前記第３のフィルタ部を前記第２のユニットに対向させることを特徴とする請求項４に記載のインクジェット記録装置。
【請求項１２】
前記ＵＶ照射装置の前記第１のユニットに対応して設けられるとともに、前記第１のユニットから照射される光のうち、前記第２の波長帯域を遮断する第１のフィルタ部と、前記第１の波長帯域を遮断する第２のフィルタ部と、を有する第１のフィルタ部材と、
前記ＵＶ照射装置の前記第２のユニットに対応して設けられるとともに、前記第２のユニットから照射される光のうち、前記第２の波長帯域を遮断する第３のフィルタ部と、前記第１の波長帯域を遮断する第４のフィルタ部と、を有する第２のフィルタ部材と、
をさらに具備し、
前記キャリッジが前記第１のユニットを先頭に移動する際に、前記第１のユニットは、前記第１のフィルタ部に対向する位置に移動するとともに、前記第２のユニットは、前記第４のフィルタ部に対向する位置に移動し、
前記キャリッジが前記第２のユニットを先頭に移動する際に、前記第１のユニットは、前記第２のフィルタ部に対向する位置に移動するとともに、前記第２のユニットは、前記第３のフィルタ部に対向する位置に移動することを特徴とする請求項４に記載のインクジェット記録装置。
【請求項１３】
前記インクジェットヘッド、前記ＵＶ照射装置の前記第１のユニットおよび前記第２のユニットは、前記送り方向と直交する幅方向において、前記被印刷物の全幅にわたって配置されるとともに、前記送り方向に沿うように並んで配置されることを特徴とする請求項３に記載のインクジェット記録装置。
【発明の詳細な説明】
【技術分野】
【０００１】
本発明は、ＵＶインクに対応したインクジェット記録装置に関する。
【背景技術】
【０００２】
例えば、インクジェット記録装置として、以下のものが開示されている。このインクジェット記録装置は、被印刷物の表面の濡れ性を調整するための表面改質部と、インクとの濡れ性が改善された被印刷物上にＵＶインクを吐出するためのインクジェットヘッドと、被印刷物上に吐出されたインクを硬化するための紫外線照射部と、を備えている。表面改質部は、プラズマ表面改質機やコロナ放電機で構成されている。表面改質部、インクジェットヘッド、紫外線照射部は、一列に並んで配置されている。
【０００３】
このインクジェット記録装置では、被印刷物は、表面改質部で表面改質されながら搬送される。この被印刷物に対してインクジェットヘッドによりＵＶインクが吐出される。また、紫外線照射部において、この被印刷物に対して紫外線が照射され、インクが被印刷物に定着する（例えば、特許文献１参照）。
【特許文献１】特開２００３−３１１９４０号公報
【発明の開示】
【発明が解決しようとする課題】
【０００４】
しかしながら、上記従来のインクジェット記録装置では、表面改質部としてプラズマ表面改質機やコロナ放電機が用いられているため、装置が大型化するのみならず、装置全体としても高価になってしまう。また、表面改質部、インクジェットヘッド、紫外線照射部は、一列に並んで配置されているため、一方向にしか被印刷物を処理することができない。このため、生産効率が悪いものになっている。
【０００５】
本発明の目的は、簡単かつ安価な構成で、効率的に印刷処理を行うことができるインクジェット記録装置を提供することにある。
【課題を解決するための手段】
【０００６】
前記目的を達成するため、本発明の一つの形態に係るインクジェット記録装置は、送り方向に送られる被印刷物に対してＵＶインクを吐出するインクジェットヘッドと、前記被印刷物に付着した前記ＵＶインクを硬化させるためのＵＶ照射装置と、を具備し、前記ＵＶ照射装置は、前記ＵＶインクの吐出に先立って、前記被印刷物の表面を改質して、前記ＵＶインクに対する前記被印刷物の濡れ性を向上させる表面改質部を兼ねている。
【発明の効果】
【０００７】
本発明によれば、簡単かつ安価な構成で、効率的に印刷処理を行うことができるインクジェット記録装置を提供できる。
【発明を実施するための最良の形態】
【０００８】
以下図面を参照して、この発明の実施例について説明する。図１にインクジェット記録装置全体の構成を示す。
【０００９】
インクジェット記録装置１１は、装置本体１２を備え、この装置本体１２の後部には第１の供給トレイ１３、前部には排出トレイ１４が設けられている。装置本体１２の下部には第２の供給トレイ１５が設けられている。また、被印刷物の一例である用紙Ｓを送り方向Ｆに送るためのローラ１６を有している。用紙Ｓは、記録媒体（メディア）の一例である。なお、被印刷物は、用紙Ｓに限定されるものではなく、プラスチックや金属、フィルム等の濡れ性が良好でないメディアであってもよい。被印刷物に対して印刷がなされて形成された完成品としては、電車、バス等の車体広告や街頭広告、ＣＤ／ＤＶＤのパッケージ、携帯電話の筐体、飲食物のパッケージ、社員証などのカードがある。
【００１０】
インクジェット記録装置１１は、装置本体１２の内部に収容されるキャリッジガイド軸２１と、キャリッジガイド軸２１に沿って往復移動できるキャリッジ２２と、キャリッジ２２に載置されたインクジェットヘッド２３およびＵＶ（ultraviolet）照射装置２４と、を備えている。キャリッジ２２は、用紙Ｓの幅方向Ｗにおいて往復移動することができる。また、キャリッジ２２に対向する位置に、ローラ１６等によって搬送される用紙Ｓが配置される。インクジェットヘッド２３は、例えば、ノズル２３Ａおよび駆動素子であるＰＺＴ（チタン酸ジルコン酸鉛）製の圧電素子を具備する。圧電素子の駆動によって、図３に示すように、ノズル２３ＡからＵＶインクを用紙Ｓに向けて吐出することができる。
【００１１】
ＵＶ照射装置２４は、用紙Ｓに付着したＵＶインクを硬化させ、用紙Ｓに対して定着させることができる。ＵＶ照射装置２４は、キャリッジ２２上に搭載される第１のユニット２５および第２のユニット２６を含んだ一対のもので構成されている。第１のユニット２５と第２のユニット２６との間の位置にインクジェットヘッド２３が配置される。インクジェットヘッド２３、ＵＶ照射装置２４の第１のユニット２５および第２のユニット２６は、幅方向Ｗに沿うようにキャリッジ２２上に並んで配置される。ＵＶ照射装置２４の第１のユニット２５および第２のユニット２６は、図３に２点鎖線で示すように、用紙Ｓに対してＵＶ光を照射することができる。
【００１２】
ＵＶ照射装置２４は、ＵＶインクの吐出に先立って、被印刷物の表面を改質して、ＵＶインクに対する被印刷物の濡れ性を向上させる表面改質部を兼ねている。すなわち、ＵＶ照射装置２４の第１のユニット２５および第２のユニット２６は、ＵＶ光を照射することができる光源２７、つまりＵＶランプを有している。この光源２７としてのＵＶランプの一例としては、水銀ランプやメタルハライドランプがある。水銀ランプの発光スペクトルを図４に示す。また、メタルハライドランプの発光スペクトルを図５に示す。本実施形態のインクジェット記録装置１１では、水銀ランプおよびメタルハライドランプのいずれを用いてもよい。
【００１３】
光源２７である水銀ランプおよびメタルハライドランプは、それぞれ被印刷物である用紙Ｓの表面を改質することができる第１の波長帯域と、ＵＶインクを硬化させることができる第２の波長帯域と、を含んでいる。第１の波長帯域は、例えば、ＵＶ−Ａ（４００〜３１５ｎｍ）である。第２の波長帯域は、例えば、ＵＶ−Ｃ（２８０〜１０ｎｍ）である。
【００１４】
以上が、インクジェット記録装置１１の第１の実施形態である。第１の実施形態によれば、インクジェット記録装置１１は、送り方向Ｆに送られる被印刷物に対してＵＶインクを吐出するインクジェットヘッド２３と、被印刷物に付着したＵＶインクを硬化させるためのＵＶ照射装置２４と、を具備し、ＵＶ照射装置２４は、ＵＶインクの吐出に先立って、被印刷物の表面を改質して、ＵＶインクに対する被印刷物の濡れ性を向上させる表面改質部を兼ねている。
【００１５】
この構成によれば、ＵＶ照射装置２４に表面改質部の機能を持たせることができるため、別途に表面改質部を設ける場合に比して、インクジェット記録装置１１の構成を簡略化することができる。また、インクジェット記録装置１１の製造コストを削減することができる。
【００１６】
この場合、ＵＶ照射装置２４は、被印刷物の表面を改質することができる第１の波長帯域と、ＵＶインクを硬化させることができる第２の波長帯域と、を含んだ光を照射可能な光源２７を有する。この構成によれば、ＵＶ照射装置２４に被印刷物の表面を改質する機能と、ＵＶインクを硬化させる機能と、の両方を持たせることができる。また、両機能を共通の光源２７によって実現できるため、インクジェット記録装置１１の構成を簡略化することができる。
【００１７】
この場合、ＵＶ照射装置２４は、第１のユニット２５および第２のユニット２６を含んだ一対のものであり、インクジェットヘッド２３は、第１のユニット２５と第２のユニット２６との間の位置に配置される。この構成によれば、インクジェットヘッド２３による印刷に先立って被印刷物の表面の改質を行うとともに、印刷後にＵＶインクを硬化させることができる。
【００１８】
この場合、インクジェットヘッド２３およびＵＶ照射装置２４を載せ込むとともに、幅方向Ｗにおいて往復移動可能なキャリッジ２２を具備し、インクジェットヘッド２３、ＵＶ照射装置２４の第１のユニット２５および第２のユニット２６は、幅方向Ｗに沿うようにキャリッジ２２上に並んで配置される。この構成によれば、インクジェットヘッド２３を間に挟んだ両側に第１のユニット２５と第２のユニット２６とが配置される。これにより、キャリッジ２２がいずれの方向に移動する場合にも、印刷に先立って表面改質を行い、印刷後にＵＶインクの硬化を行うことができる。
【００１９】
続いて、図６を参照して、インクジェット記録装置３１の第２の実施形態について説明する。第２の実施形態のインクジェット記録装置３１は、インクジェットヘッド２３およびＵＶ照射装置２４の第１のユニット２５および第２のユニット２６の構成が第１の実施形態と異なっているが、他の部分は共通している。このため、主として第１の実施形態と異なる部分について説明し、第１の実施形態と共通する箇所については共通の符号を付して説明を省略する。
【００２０】
第２の実施形態にかかるインクジェット記録装置３１は、いわゆるライン型のものである。インクジェット記録装置３１は、インクジェットヘッド２３およびＵＶ照射装置２４を有している。ＵＶ照射装置２４は、第１のユニット２５および第２のユニット２６を含んでいる。インクジェットヘッド２３およびＵＶ照射装置２４の第１のユニット２５および第２のユニット２６は、用紙Ｓの送り方向Ｆと直交する幅方向Ｗにおいて、用紙Ｓの幅よりも長く形成されている。インクジェットヘッド２３およびＵＶ照射装置２４は、用紙Ｓの全幅にわたるように配置されている。インクジェットヘッド２３、ＵＶ照射装置２４の第１のユニット２５および第２のユニット２６は、用紙Ｓの送り方向Ｆに沿うように並んで配置されている。第２の実施形態では、用紙Ｓを送り方向Ｆとは反対側の方向に送ることもできる。その場合には、第２のユニット２６で用紙Ｓの表面改質を行い、第１のユニット２５でＵＶインクの硬化を行う。
【００２１】
第２の実施形態によれば、インクジェットヘッド２３がいわゆるライン型のもので構成される場合であっても、印刷前の表面改質と、印刷後のＵＶインク硬化とをＵＶ照射装置２４によって実現することができる。
【００２２】
続いて、図７を参照して、インクジェット記録装置４１の第３の実施形態について説明する。第３の実施形態のインクジェット記録装置４１は、ＵＶ照射装置２４の第１のユニット４２および第２のユニット４３の構成が第１の実施形態と異なっているが、他の部分は共通している。このため、主として第１の実施形態と異なる部分について説明し、第１の実施形態と共通する箇所については共通の符号を付して説明を省略する。
【００２３】
第３の実施形態にかかるインクジェット記録装置４１のＵＶ照射装置２４は、第１のユニット４２および第２のユニット４３を備えている。第１のユニット４２および第２のユニット４３は、用紙Ｓの送り方向Ｆにおいて、インクジェットヘッド２３の長さよりも長く形成されている。
【００２４】
ＵＶ照射装置２４の第１のユニット４２および第２のユニット４３は、送り方向Ｆにおいてインクジェットヘッド２３に対応する対応部４２Ａ，４３Ａと、送り方向Ｆにおいてインクジェットヘッド２３から外れている突出部４２Ｂ，４３Ｂと、をそれぞれ有している。突出部４２Ｂ，４３Ｂは、インクジェットヘッド２３よりも送り方向Ｆの上流に配置されている。
【００２５】
第３の実施形態によれば、インクジェットヘッド２３による印刷に先立って、用紙Ｓの表面改質に多くの時間をかけることができる。これにより、表面の改質に時間がかかる用紙Ｓである場合や、表面の改質に時間がかかる被印刷物である金属やプラスチック、フィルム等に印刷する場合に、長時間ＵＶ光を照射して、用紙Ｓに対するＵＶインクの濡れ性を向上させることができる。
【００２６】
図８を参照して、インクジェット記録装置５１の第４の実施形態について説明する。第４の実施形態のインクジェット記録装置５１は、ＵＶ照射装置２４の第１のユニット５２および第２のユニット５３の構成が第１の実施形態と異なっているが、他の部分は共通している。このため、主として第１の実施形態と異なる部分について説明し、第１の実施形態と共通する箇所については共通の符号を付して説明を省略する。
【００２７】
第４の実施形態にかかるインクジェット記録装置５１のＵＶ照射装置２４は、第１のユニット５２および第２のユニット５３を備えている。第１のユニット５２および第２のユニット５３は、用紙Ｓの送り方向において、インクジェットヘッド２３の長さよりも長く形成されている。
【００２８】
ＵＶ照射装置２４の第１のユニット５２および第２のユニット５３は、送り方向Ｆにおいてインクジェットヘッド２３に対応する対応部５２Ａ，５３Ａと、送り方向Ｆにおいてインクジェットヘッド２３から外れている突出部５２Ｂ，５３Ｂと、をそれぞれ有している。第４の実施形態では、第３の実施形態と異なり、突出部５２Ｂ，５３Ｂは、インクジェットヘッド２３よりも送り方向Ｆの下流に配置されている。
【００２９】
第４の実施形態によれば、インクジェットヘッド２３による印刷の終了後に、ＵＶインクの硬化に多くの時間をかけることができる。これにより、硬化に時間のかかるＵＶインク等を使用する場合であっても、用紙Ｓに対してＵＶインクを十分に定着させることができる。
【００３０】
図９を参照して、インクジェット記録装置６１の第５の実施形態について説明する。第５の実施形態のインクジェット記録装置６１は、ＵＶ照射装置２４の第１のユニット６２および第２のユニット６３の構成が第１の実施形態と異なっているが、他の部分は共通している。このため、主として第１の実施形態と異なる部分について説明し、第１の実施形態と共通する箇所については共通の符号を付して説明を省略する。
【００３１】
第５の実施形態にかかるインクジェット記録装置６１のＵＶ照射装置２４は、第１のユニット６２および第２のユニット６３を備えている。第１のユニット６２および第２のユニット６３は、用紙Ｓの送り方向Ｆにおいて、インクジェットヘッド２３の長さよりも長く形成されている。
【００３２】
ＵＶ照射装置２４の第１のユニット６２および第２のユニット６３は、送り方向Ｆにおいてインクジェットヘッド２３に対応する対応部６２Ａ，６３Ａと、送り方向Ｆにおいてインクジェットヘッド２３から外れている第１の突出部６２Ｂ，６３Ｂおよび第２の突出部６２Ｃ，６３Ｃと、をそれぞれ有している。第１の突出部６２Ｂ，６３Ｂは、インクジェットヘッド２３よりも送り方向Ｆの上流に配置されている。第２の突出部６２Ｃ，６３Ｃは、インクジェットヘッド２３よりも送り方向Ｆの下流に配置されている。
【００３３】
第５の実施形態によれば、第１の実施形態のものに比して、印刷に先立つ表面改質と、印刷後のＵＶインクの硬化のそれぞれに時間をかけることができる。これにより、用紙Ｓの表面の改質に多くの時間がかかる場合で、かつＵＶインクの硬化に時間がかかる場合であっても、ＵＶインクの十分な定着を図ることができる。
【００３４】
図１０を参照して、インクジェット記録装置７１の第６の実施形態について説明する。第６の実施形態のインクジェット記録装置７１は、フィルタ部材７２を備えている点で図７に示す第３の実施形態と異なっているが、他の部分は共通している。このため、主として第３の実施形態と異なる部分について説明し、第３の実施形態と共通する箇所については共通の符号を付して説明を省略する。
【００３５】
図１０は、第６の実施形態にかかるインクジェット記録装置７１のキャリッジ２２を下方から示している。第６の実施形態にかかるインクジェット記録装置７１は、さらに、キャリッジ２２に取り付けられたフィルタ部材７２を備えている。フィルタ部材７２は、第１のフィルタ部７２Ａと、第２のフィルタ部７２Ｂと、を有している。第１のフィルタ部７２Ａは、ＵＶ照射装置２４の第１のユニット４２および第２のユニット４３のそれぞれ突出部４２Ｂ，４３Ｂに対応して設けられている。第１のフィルタ部７２Ａは、ＵＶ照射装置２４から照射される光のうち、第２の波長帯域の光を遮断するが、第１の波長帯域の光を透過させる。
【００３６】
第２のフィルタ部７２Ｂは、ＵＶ照射装置２４の第１のユニット４２および第２のユニット４３のそれぞれの対応部４２Ａ，４３Ａに対応して設けられている。第２のフィルタ部７２Ｂは、ＵＶ照射装置２４から照射される光のうち、第１の波長帯域の光を遮断するが、第２の波長帯域の光を透過させる。
【００３７】
第６の実施形態によれば、インクジェット記録装置７１は、突出部４２Ｂ，４３Ｂに対応して設けられ、ＵＶ照射装置２４の第１のユニット４２および第２のユニット４３から照射される光のうち、第１の波長帯域の光を透過させるとともに、第２の波長帯域の光を遮断する第１のフィルタ部７２Ａと、対応部４２Ａ，４３Ａに対応して設けられ、ＵＶ照射装置２４の第１のユニット４２および第２のユニット４３から照射される光のうち、第２の波長帯域の光を透過させるとともに、第１の波長帯域の光を遮断する第２のフィルタ部７２Ｂと、を有するフィルタ部材７２をさらに具備する。
【００３８】
この構成によれば、突出部４２Ｂ，４３Ｂにおいて、印刷に先立つ表面の改質に必要な第１の波長帯域のみをＵＶ光から取り出すことができる。これによって、表面の改質に用いない波長帯域の光が照射されて、用紙Ｓの表面に悪影響を及ぼすことを防止できる。また、対応部４２Ａ，４３Ａにおいては、ＵＶインクの硬化に必要な第２の波長帯域のみをＵＶ光から取り出すことができ、ＵＶ光の照射によって、ＵＶインクに対して意図しない悪影響が及ぼされることを防止できる。
【００３９】
図１１を参照して、インクジェット記録装置８１の第７の実施形態について説明する。第７の実施形態のインクジェット記録装置８１は、フィルタ部材８２を備えている点で図８に示す第４の実施形態と異なっているが、他の部分は共通している。このため、主として第４の実施形態と異なる部分について説明し、第４の実施形態と共通する箇所については共通の符号を付して説明を省略する。
【００４０】
図１１は、第７の実施形態にかかるインクジェット記録装置８１のキャリッジ２２を下方から示している。第７の実施形態にかかるインクジェット記録装置８１は、さらに、キャリッジ２２に取り付けられたフィルタ部材８２を備えている。フィルタ部材８２は、ＵＶ照射装置２４の第１のフィルタ部８２Ａと、第２のフィルタ部８２Ｂと、を有している。第１のフィルタ部８２Ａは、ＵＶ照射装置２４の第１のユニット５２および第２のユニット５３のそれぞれ対応部５２Ａ，５３Ａに対応して設けられている。第１のフィルタ部８２Ａは、ＵＶ照射装置２４から照射される光のうち、第２の波長帯域の光を遮断するが、第１の波長帯域の光を透過させる。
【００４１】
第２のフィルタ部８２Ｂは、ＵＶ照射装置２４の第１のユニット５２および第２のユニット５３のそれぞれの突出部５２Ｂ，５３Ｂに対応して設けられている。第２のフィルタ部８２Ｂは、ＵＶ照射装置２４から照射される光のうち、第１の波長帯域の光を遮断するが、第２の波長帯域の光を透過させる。
【００４２】
第７の実施形態によれば、インクジェット記録装置８１は、対応部５２Ａ，５３Ａに対応して設けられ、ＵＶ照射装置２４の第１のユニット５２および第２のユニット５３から照射される光のうち、第１の波長帯域の光を透過させるとともに、第２の波長帯域の光を遮断する第１のフィルタ部８２Ａと、突出部５２Ｂ，５３Ｂに対応して設けられ、ＵＶ照射装置２４の第１のユニット５２および第２のユニット５３から照射される光のうち、第２の波長帯域の光を透過させるとともに、第１の波長帯域の光を遮断する第２のフィルタ部８２Ｂと、を有するフィルタ部材８２をさらに具備する。
【００４３】
この構成によれば、対応部５２Ａ，５３Ａにおいて、印刷に先立つ表面の改質に必要な第１の波長帯域のみをＵＶ光から取り出すことができ、表面の改質に用いない波長帯域の光が照射されて、用紙Ｓの表面に悪影響を及ぼすことを防止できる。また、対応部５２Ａ，５３Ａにおいては、ＵＶインクの硬化に必要な第２の波長帯域のみをＵＶ光から取り出すことができ、ＵＶ光の照射によって、ＵＶインクに対して意図しない悪影響が及ぼされることを防止できる。
【００４４】
図１２を参照して、インクジェット記録装置９１の第８の実施形態について説明する。第８の実施形態のインクジェット記録装置９１は、フィルタ部材９３を備えている点で第５の実施形態と異なっているが、他の部分は共通している。このため、主として第５の実施形態と異なる部分について説明し、第５の実施形態と共通する箇所については共通の符号を付して説明を省略する。
【００４５】
図１２は、第８の実施形態にかかるインクジェット記録装置９１のキャリッジ２２を下方から示している。第８の実施形態にかかるインクジェット記録装置９１は、さらに、キャリッジ２２に取り付けられたフィルタ部材９３を備えている。フィルタ部材９３は、第１のフィルタ部９３Ａと、第２のフィルタ部９３Ｂと、を有している。第１のフィルタ部９３Ａは、第１のユニット６２および第２のユニット６３のそれぞれの第１の突出部６２Ｂ，６３Ｂおよび対応部６２Ａ，６３Ａの一部に対応して設けられている。第１のフィルタ部９３Ａは、ＵＶ照射装置２４から照射される光のうち、第２の波長帯域の光を遮断するが、第１の波長帯域の光を透過させる。
【００４６】
第２のフィルタ部９３Ｂは、第１のユニット６２および第２のユニット６３のそれぞれの第２の突出部６２Ｃ，６３Ｃおよび対応部６２Ａ，６３Ａの一部に対応して設けられている。第２のフィルタ部９３Ｂは、ＵＶ照射装置２４から照射される光のうち、第１の波長帯域の光を遮断するが、第２の波長帯域の光を透過させる。
【００４７】
第８の実施形態によれば、インクジェット記録装置９１は、第１の突出部６２Ｂ，６３Ｂおよび対応部６２Ａ，６３Ａの一部に対応して設けられ、ＵＶ照射装置２４の第１のユニット６２および第２のユニット６３から照射される光のうち、第１の波長帯域の光を透過させるとともに、第２の波長帯域の光を遮断する第１のフィルタ部９３Ａと、第２の突出部６２Ｃ，６３Ｃおよび対応部６２Ａ，６３Ａの一部に対応して設けられ、ＵＶ照射装置２４の第１のユニット６２および第２のユニット６３から照射される光のうち、第２の波長帯域の光を透過させるとともに、第１の波長帯域の光を遮断する第２のフィルタ部９３Ｂと、を有するフィルタ部材９３をさらに具備する。
【００４８】
この構成によれば、第１の突出部６２Ｂ，６３Ｂおよび対応部６２Ａ，６３Ａの一部において、表面の改質に必要な第１の波長帯域のみをＵＶ光から取り出すことができ、表面の改質に用いない波長帯域の光が照射されて、用紙Ｓの表面に悪影響を及ぼすことを防止できる。また、第２の突出部６２Ｃ，６３Ｃおよび対応部６２Ａ，６３Ａの一部においては、ＵＶインクの硬化に必要な第２の波長帯域のみをＵＶ光から取り出すことができ、ＵＶ光の照射によって、ＵＶインクに対して意図しない悪影響が及ぼされることを防止できる。
【００４９】
図１３と図１４を参照して、インクジェット記録装置１０１の第９の実施形態について説明する。第９の実施形態のインクジェット記録装置１０１は、可動式の第１および第２のフィルタ部材１０２、１０３を備えている点で第１の実施形態と異なっているが、他の部分は共通している。このため、主として第１の実施形態と異なる部分について説明し、第１の実施形態と共通する箇所については共通の符号を付して説明を省略する。
【００５０】
第１および第２のフィルタ部材１０２、１０３は、それぞれスライド移動できるように、キャリッジ２２に取り付けられている。
【００５１】
第１のフィルタ部材１０２は、第１のユニット２５に対応するように設けられる。第１のフィルタ部材１０２は、第１のフィルタ部１０２Ａおよび第２のフィルタ部１０２Ｂを有している。第１のフィルタ部１０２Ａは、ＵＶ照射装置２４から照射される光のうち、第２の波長帯域の光を遮断するが、第１の波長帯域の光を透過させる。第２のフィルタ部１０２Ｂは、ＵＶ照射装置から照射される光のうち、第１の波長帯域の光を遮断するが、第２の波長帯域の光を透過させる。
【００５２】
第２のフィルタ部材１０３は、第２のユニット２６に対応するように設けられる。第２のフィルタ部材１０３は、第３のフィルタ部１０３Ａおよび第４のフィルタ部１０３Ｂを有している。第３のフィルタ部１０３Ａは、ＵＶ照射装置２４から照射される光のうち、第２の波長帯域の光を遮断するが、第１の波長帯域の光を透過させる。第４のフィルタ部１０３Ｂは、ＵＶ照射装置２４から照射される光のうち、第１の波長帯域の光を遮断するが、第２の波長帯域の光を透過させる。
【００５３】
続いて、図１３と図１４を参照して、第１のフィルタ部材１０２および第２のフィルタ部材１０３の切り替え動作について説明する。図１３は、キャリッジ２２がＵＶ照射装置２４の第１のユニット２５を先頭に、左方向に移動している状態を示している。このとき、第１のフィルタ部材１０２は、第１のフィルタ部１０２Ａを第１のユニット２５に対向させている。第２のフィルタ部材１０３は、第４のフィルタ部１０３Ｂを第２のユニット２６に対向させている。これによって、第１のユニット２５からはＵＶ光のうち、第１の波長帯域の光が照射され、印刷に先立って、用紙表面の改質ができる。また、第２のユニット２６からは第２の波長帯域の光が照射され、用紙上のＵＶインクが硬化される。
【００５４】
キャリッジ２２がキャリッジガイド軸２１の左端部にまで至ると、キャリッジ２２は、ＵＶ照射装置２４の第２のユニット２６を先頭に、逆方向である右方向に移動する。この切り替えがなされる際に、第１のフィルタ部材１０２および第２のフィルタ部材１０３は、例えば装置本体１２に設けられた図示しない突起に突き当たる。これによって、第１のフィルタ部材１０２は、第２のフィルタ部１０２Ｂを第１のユニット２５に対向させるように移動する。また、第２のフィルタ部材１０３は、第３のフィルタ部１０３Ａを第２のユニット２６に対向させるように移動する。
【００５５】
図１４に示すように、キャリッジ２２が右方向に移動している状態では、第２のユニット２６からはＵＶ光のうち、第１の波長帯域の光が照射され、印刷に先立って、用紙表面の改質ができる。また、第１のユニット２５からは第２の波長帯域の光が照射され、用紙Ｓ上のＵＶインクが硬化される。再びキャリッジ２２がキャリッジガイド軸２１の右端部にまで至ると、第１のフィルタ部材１０２および第２のフィルタ部材１０３は、例えば装置本体１２に設けられた図示しない突起に突き当たり、図１３に示す位置に戻る。こうして、キャリッジ２２がどの方向に移動している場合であっても、インクジェットヘッド２３の前方と後方において、適切な波長帯域の光が照射されるようになっている。
【００５６】
第９の実施形態によれば、インクジェット記録装置１０１は、ＵＶ照射装置２４の第１のユニット２５に対応して設けられるとともに、第１のユニット２５から照射される光のうち、第２の波長帯域を遮断する第１のフィルタ部１０２Ａと、第１の波長帯域を遮断する第２のフィルタ部１０２Ｂと、を有する第１のフィルタ部材１０２と、ＵＶ照射装置２４の第２のユニット２６に対応して設けられるとともに、第２のユニット２６から照射される光のうち、第２の波長帯域を遮断する第３のフィルタ部１０３Ａと、第１の波長帯域を遮断する第４のフィルタ部１０３Ｂと、を有する第２のフィルタ部材１０３と、をさらに具備し、キャリッジ２２が第１のユニット２５を先頭に移動する際に、第１のフィルタ部材１０２は、第１のフィルタ部１０２Ａを第１のユニット２５に対向させるとともに、第２のフィルタ部材１０３は、第４のフィルタ部１０３Ｂを第２のユニット２６に対向させ、キャリッジ２２が第２のユニット２６を先頭に移動する際に、第１のフィルタ部材１０２は、第２のフィルタ部１０２Ｂを第１のユニット２５に対向させるとともに、第２のフィルタ部材１０３は、第３のフィルタ部１０３Ａを第２のユニット２６に対向させる。
【００５７】
この構成によれば、キャリッジ２２が幅方向のいずれの向きに移動する場合であっても、先頭に位置するＵＶ照射装置２４から、印刷に先立って第１の波長帯域を照射して表面を改質できる。また、印刷後は、後方に位置するＵＶ照射装置２４から、第２の波長帯域を照射してＵＶインクを定着できる。また、用途に応じてＵＶの波長帯域を簡単に選択することができ、インクジェット記録装置１０１の構成を簡略化することができる。
【００５８】
図１５と図１６を参照して、インクジェット記録装置１１１の第１０の実施形態について説明する。第１０の実施形態のインクジェット記録装置１１１は、第１および第２のフィルタ部材１１２、１１３を備えている点、ＵＶ照射装置２４の第１のユニット１１４および第２のユニット１１５が可動式となっている点で第１の実施形態と異なっているが、他の部分は共通している。このため、主として第１の実施形態と異なる部分について説明し、第１の実施形態と共通する箇所については共通の符号を付して説明を省略する。
【００５９】
第１のフィルタ部材１１２は、ＵＶ照射装置２４の第１のユニット１１４に対応するようにキャリッジ２２に取り付けられている。第１のフィルタ部材１１２は、第１のフィルタ部１１２Ａおよび第２のフィルタ部１１２Ｂを有している。第１のフィルタ部１１２Ａは、ＵＶ照射装置２４から照射される光のうち、第２の波長帯域の光を遮断するが、第１の波長帯域の光を透過させる。第２のフィルタ部１１２Ｂは、ＵＶ照射装置２４から照射される光のうち、第１の波長帯域の光を遮断するが、第２の波長帯域の光を透過させる。
【００６０】
第２のフィルタ部材１１３は、ＵＶ照射装置２４の第２のユニット１１５に対応するようにキャリッジ２２に取り付けられている。第２のフィルタ部材１１３は、第３のフィルタ部１１３Ａおよび第４のフィルタ部１１３Ｂを有している。第３のフィルタ部１１３Ａは、ＵＶ照射装置２４から照射される光のうち、第２の波長帯域の光を遮断するが、第１の波長帯域の光を透過させる。第４のフィルタ部１１３Ｂは、ＵＶ照射装置２４から照射される光のうち、第１の波長帯域の光を遮断するが、第２の波長帯域の光を透過させる。
【００６１】
続いて、図１５と図１６を参照して、第１のユニット１１４および第２のユニット１１５の切り替え動作について説明する。図１５は、キャリッジ２２がＵＶ照射装置２４の第１のユニット１１４を先頭に、左方向に移動している状態を示している。このとき、第１のユニット１１４は、第１のフィルタ部材１１２の第１のフィルタ部１１２Ａに対向している。第２のユニット１１５は、第２のフィルタ部材１１３の第４のフィルタ部１１３Ｂに対向している。これによって、第１のユニット１１４からはＵＶ光のうち、第１の波長帯域の光が照射され、印刷に先立って、用紙表面の改質ができる。また、第２のユニット１１５からは第２の波長帯域の光が照射され、用紙Ｓ上のＵＶインクが硬化される。
【００６２】
キャリッジ２２がキャリッジガイド軸２１の左端部にまで至ると、キャリッジ２２は、ＵＶ照射装置２４の第２のユニット１１５を先頭に、逆方向である右方向に移動する。この切り替えがなされる際に、第１のユニット１１４および第２のユニット１１５は、例えば装置本体１２に設けられた図示しない突起に突き当たる。これによって、第１のユニット１１４は、第２のフィルタ部１１２Ｂに対向する位置に移動する。また、第２のユニット１１５は、第３のフィルタ部１１３Ａに対向する位置に移動する。
【００６３】
図１６に示すように、キャリッジ２２が右方向に移動している状態では、第２のユニット１１５からはＵＶ光のうち、第１の波長帯域の光が照射され、印刷に先立って、用紙表面の改質ができる。また、第１のユニット１１４からは第２の波長帯域の光が照射され、用紙Ｓ上のＵＶインクが硬化される。再びキャリッジ２２がキャリッジガイド軸２１の右端部にまで至ると、第１のフィルタ部材１１２および第２のフィルタ部材１１３は、例えば装置本体１２に設けられた図示しない突起に突き当たり、図１５に示す位置に戻る。こうして、キャリッジ２２がどの方向に移動している場合であっても、インクジェットヘッド２３の前方と後方において、適切な波長帯域の光が照射される。
【００６４】
第１０の実施形態によれば、インクジェット記録装置１１１は、ＵＶ照射装置２４の第１のユニット１１４に対応して設けられるとともに、第１のユニット１１４から照射される光のうち、第２の波長帯域を遮断する第１のフィルタ部１１２Ａと、第１の波長帯域を遮断する第２のフィルタ部１１２Ｂと、を有する第１のフィルタ部材１１２と、ＵＶ照射装置２４の第２のユニット１１５に対応して設けられるとともに、第２のユニット１１５から照射される光のうち、第２の波長帯域を遮断する第３のフィルタ部１１３Ａと、第１の波長帯域を遮断する第４のフィルタ部１１３Ｂと、を有する第２のフィルタ部材１１３と、をさらに具備し、キャリッジ２２が第１のユニット１１４を先頭に移動する際に、第１のユニット１１４は、第１のフィルタ部１１２Ａに対向する位置に移動するとともに、第２のユニット１１５は、第４のフィルタ部１１３Ｂに対向する位置に移動し、キャリッジ２２が第２のユニット１１５を先頭に移動する際に、第１のユニット１１４は、第２のフィルタ部１１２Ｂに対向する位置に移動するとともに、第２のユニット１１５は、第３のフィルタ部１１３Ａに対向する位置に移動する。
【００６５】
この構成によれば、キャリッジ２２が幅方向のいずれの向きに移動する場合であっても、先頭に位置するＵＶ照射装置２４から、印刷に先立って第１の波長帯域を照射して表面を改質できる。また、印刷後は、後方に位置するＵＶ照射装置２４から、第２の波長帯域を照射してＵＶインクを定着できる。また、用途に応じてＵＶの波長帯域を簡単に選択することができ、インクジェット記録装置１１１の構成を簡略化できる。
【００６６】
本発明は、前記実施の形態に限定されるものではない。このほか、発明の要旨を逸脱しない範囲で種々変形実施可能であるのは勿論である。
【図面の簡単な説明】
【００６７】
【図１】第１の実施形態にかかるインクジェット記録装置の全体構成を示す斜視図。
【図２】図１に示すインクジェット記録装置のキャリッジの周辺の構造を示す平面図。
【図３】図２に示すキャリッジ周辺構造を正面方向から示す正面図。
【図４】図１に示すインクジェット記録装置のＵＶ照射装置の光源である水銀ランプの発光スペクトルを示すグラフ。
【図５】図１に示すインクジェット記録装置のＵＶ照射装置の光源であるメタルハライドランプの発光スペクトルを示すグラフ。
【図６】第２の実施形態にかかるインクジェット記録装置のインクジェットヘッドの周辺構造を示す上面図。
【図７】第３の実施形態にかかるインクジェット記録装置のキャリッジの周辺構造を示す上面図。
【図８】第４の実施形態にかかるインクジェット記録装置のキャリッジの周辺構造を示す上面図。
【図９】第５の実施形態にかかるインクジェット記録装置のキャリッジの周辺構造を示す上面図。
【図１０】第６の実施形態にかかるインクジェット記録装置のキャリッジの周辺構造を下方から示す下面図。
【図１１】第７の実施形態にかかるインクジェット記録装置のキャリッジの周辺構造を下方から示す下面図。
【図１２】第８の実施形態にかかるインクジェット記録装置のキャリッジの周辺構造を下方から示す下面図。
【図１３】第９の実施形態にかかるインクジェット記録装置において、キャリッジが左方向に移動する状態を正面から示す正面図。
【図１４】図１３に示すインクジェット記録装置において、キャリッジが右方向に移動する状態を正面から示す正面図。
【図１５】第１０の実施形態にかかるインクジェット記録装置において、キャリッジが左方向に移動する状態を正面から示す正面図。
【図１６】第１０の実施形態にかかるインクジェット記録装置において、キャリッジが右方向に移動する状態を正面から示す正面図。
【符号の説明】
【００６８】
１１、３１、４１、５１、６１、７１、８１、９１、１０１、１１１…インクジェット記録装置、２２…キャリッジ、２３…インクジェットヘッド、２４…ＵＶ照射装置、２５、４２、５２、６２、１１４…第１のユニット、２６、４３、５３、６３、１１５…第２のユニット、２７…光源、４２Ａ，４３Ａ、５２Ａ，５３Ａ、６２Ａ，６３Ａ…対応部、４２Ｂ，４３Ｂ、５２Ｂ，５３Ｂ…突出部、６２Ｂ，６３Ｂ…第１の突出部、６２Ｃ，６３Ｃ…第２の突出部、７２…フィルタ部材、７２Ａ…第１のフィルタ部、７２Ｂ…第２のフィルタ部、８２…フィルタ部材、８２Ａ…第１のフィルタ部、８２Ｂ…第２のフィルタ部、９３…フィルタ部材、９３Ａ…第１のフィルタ部、９３Ｂ…第２のフィルタ部、１０２、１０３、１１２、１１３…第１および第２のフィルタ部材、１０２Ａ、１１２Ａ…第１のフィルタ部、１０２Ｂ、１１２Ｂ…第２のフィルタ部、１０３Ａ、１１３Ａ…第３のフィルタ部、１０３Ｂ、１１３Ｂ…第４のフィルタ部、Ｗ…幅方向、Ｓ…用紙、Ｆ…送り方向
【図１】
2009196123.tif 000003
【図２】
2009196123.tif 000004
【図３】
2009196123.tif 000005
【図４】
2009196123.tif 000006
【図５】
2009196123.tif 000007
【図６】
2009196123.tif 000008
【図７】
2009196123.tif 000009
【図８】
2009196123.tif 000010
【図９】
2009196123.tif 000011
【図１０】
2009196123.tif 000012
【図１１】
2009196123.tif 000013
【図１２】
2009196123.tif 000014
【図１３】
2009196123.tif 000015
【図１４】
2009196123.tif 000016
【図１５】
2009196123.tif 000017
【図１６】
2009196123.tif 000018